(57)【要約】【課題】暑がりの利用者と寒がりの利用者の双方の要望を解決する可能性を高める。【解決手段】空調制御システムは、制御対象の空間１の室温を、空間を区分する空調ゾーン毎に制御する空調機器３−１〜３−６と、空間１の室温の分布に勾配を設けるように初期設定された設定温度に基づいて空調機器３−１〜３−６を制御し、空間１に居る申告者からの空調に関する申告に応じて設定温度を変更する空調制御装置４と、空間１の空調ゾーン毎の空調環境情報を空間の利用者に提供する情報提供装置６とを備える。【選択図】  図１
2018146212.tif 000002
【特許請求の範囲】
【請求項１】
制御対象の空間の室温を、前記空間を区分する空調ゾーン毎に制御するように構成された空調機器と、
前記空間の室温の分布に勾配を設けるように初期設定された設定温度に基づいて前記空調機器を制御し、前記空間に居る申告者からの空調に関する申告に応じて前記設定温度を変更するように構成された空調制御装置と、
前記空間の空調ゾーン毎の空調環境情報を前記空間の利用者に提供するように構成された情報提供装置とを備えることを特徴とする空調制御システム。
【請求項２】
請求項１記載の空調制御システムにおいて、
前記空調制御装置は、
前記空間内の申告者からの申告を受け付けるように構成された申告処理部と、
前記申告者から暑いおよび寒いのうち少なくとも一方の要望申告を受け付けたときに、少なくとも前記要望申告が発生した空調ゾーンの設定温度を変更するように構成された制御プラン決定部とを備え、
前記制御プラン決定部は、前記初期設定の設定温度で規定された室温の上下関係を維持するように前記設定温度を変更することを特徴とする空調制御システム。
【請求項３】
請求項１記載の空調制御システムにおいて、
前記空間の室温を空調ゾーン毎に計測するように構成された温度センサをさらに備え、
前記空調制御装置は、
前記空間内の申告者から暑い、快適、寒いのいずれかの申告を受け付けるように構成された申告処理部と、
前記申告者から暑いおよび寒いのうち少なくとも一方の要望申告を受け付けたときに、少なくとも前記要望申告が発生した空調ゾーンの設定温度を変更するように構成された制御プラン決定部とを備え、
前記制御プラン決定部は、前記申告者から快適という申告を受け付けたときに、この申告が発生した空調ゾーンの室温の値を前記温度センサから取得し、少なくとも前記申告が発生した空調ゾーンの設定温度を前記温度センサから取得した室温の値に変更することを特徴とする空調制御システム。
【請求項４】
請求項１記載の空調制御システムにおいて、
前記空調制御装置は、
前記空間内の申告者から暑い、快適、寒いのいずれかの申告を受け付けるように構成された申告処理部と、
前記申告者から暑いおよび寒いのうち少なくとも一方の要望申告を受け付けたときに、少なくとも前記要望申告が発生した空調ゾーンの設定温度を変更するように構成された制御プラン決定部とを備え、
前記制御プラン決定部は、前記要望申告よりも前に受け付けた快適という申告からの経過時間が所定の無効時間内の場合に、前記要望申告に応じた前記設定温度の変更を実施しないことを特徴とする空調制御システム。
【請求項５】
請求項１記載の空調制御システムにおいて、
前記空調制御装置は、
前記空間内の申告者から暑い、快適、寒いのいずれかの申告を受け付けるように構成された申告処理部と、
前記申告者から暑いおよび寒いのうち少なくとも一方の要望申告を受け付けたときに、少なくとも前記要望申告が発生した空調ゾーンの設定温度を変更するように構成された制御プラン決定部とを備え、
前記制御プラン決定部は、前記申告者から快適という申告を受け付けた後で暑いおよび寒いのうち少なくとも一方の要望申告を受け付けたときに、少なくとも前記要望申告が発生した空調ゾーンの設定温度を変更し、所定の維持時間が経過した後に、変更した前記設定温度を変更前の値に戻すことを特徴とする空調制御システム。
【請求項６】
請求項２乃至５のいずれか１項に記載の空調制御システムにおいて、
前記制御プラン決定部は、前記申告者から暑いおよび寒いのうちどちらか一方の要望申告を受け付けたときに、この要望申告に応じた前記設定温度の変更を実施することを特徴とする空調制御システム。
【請求項７】
請求項２乃至５のいずれか１項に記載の空調制御システムにおいて、
空調ゾーン毎の前記設定温度は、前記空間が、第１の空調ゾーンと、この第１の空調ゾーンよりも設定温度が高い第２の空調ゾーンと、前記第１の空調ゾーンよりも設定温度が低い第３の空調ゾーンの３つに分かれるように初期設定され、
前記申告処理部は、前記空間内の申告者から所定の申告判定時間内において申告された暑いという要望申告の数とこの申告判定時間内において申告された寒いという要望申告の数との割合を算出し、
前記制御プラン決定部は、前記第２の空調ゾーンの面積と前記第３の空調ゾーンの面積との割合が、前記要望申告の数の割合に最も近くなるように各空調ゾーンの前記設定温度を変更することを特徴とする空調制御システム。
【請求項８】
請求項１乃至７のいずれか１項に記載の空調制御システムにおいて、
前記空調環境情報は、空調ゾーン毎の前記設定温度を示す情報、または空調ゾーン毎の前記設定温度の傾向を示す情報であることを特徴とする空調制御システム。
【請求項９】
制御対象の空間の室温の分布に勾配を設けるように初期設定された設定温度に基づいて空調機器を制御する第１のステップと、
前記空間に居る申告者からの空調に関する申告を受け付ける第２のステップと、
前記申告に応じて前記設定温度を変更する第３のステップと、
前記空間の空調ゾーン毎の空調環境情報を前記空間の利用者に提供する第４のステップとを含むことを特徴とする空調制御方法。
【発明の詳細な説明】
【技術分野】
【０００１】
本発明は、申告者からの空調に関する申告を空調制御に反映する空調制御システムおよび方法に関するものである。
【背景技術】
【０００２】
近年、座席が指定されておらず好きな席に座れるフリーアドレス制を導入するオフィスが増えている。フリーアドレス制のオフィスの場合、社員が着席するときに、温熱環境の好みで席を決めているとは限らないため、暑がりの人と寒がりの人が混在して座っていることがある。すなわち、各人に適する固定した温熱環境を提供することは難しい。
【０００３】
そこで、フリーアドレス制のオフィスにおいて各人に好適な空調環境を提供することができるナビゲーションシステムが提案されている（特許文献１参照）。特許文献１に開示されたナビゲーションシステムは、複数の座席が配置される空間の室内環境情報をエリア毎に表示したり、空間の空調を行う複数の室内機の各々の動作モード情報をエリア毎に表示するものである。
【０００４】
また、特許文献２には、ユーザが「暑い」、「寒い」などの要求を行なったときに、空間内の、ユーザの好みの環境条件を満足する位置区分を検索し、推奨位置の情報をユーザの端末に送信する快適環境選択支援装置が開示されている。
さらに、特許文献３には、居住者の「暑い」、「寒い」などの要望申告を空調制御に反映する温冷感申告空調システムが開示されている。
【０００５】
特許文献１、特許文献２に開示された技術では、例えば強冷、弱冷、停止などの空調ゾーンが設定されており、ゾーンの面積は可変であるものの、各空調ゾーンの温度設定は固定化されている。そのため、いずれの空調ゾーンにおいてもユーザの好みの空調環境がなければ、ユーザは妥協した空調ゾーンを選択することになる。
【０００６】
また、特許文献３に開示された技術では、フリーアドレス制の空間に暑がりの人と寒がりの人が混在して座っている場合、「暑い」という要望と「寒い」という要望とが同時に発生する可能性があり、暑がりの人と寒がりの人の双方の要望を根本的に解決することができない可能性があった。
【先行技術文献】
【特許文献】
【０００７】
【特許文献１】特開２０１１−１３３１７５号公報
【特許文献２】特開２０１４−２１４９７５号公報
【特許文献３】特開２０１３−２５００３４号公報
【発明の概要】
【発明が解決しようとする課題】
【０００８】
本発明は、上記課題を解決するためになされたもので、暑がりの利用者と寒がりの利用者の双方の要望を解決する可能性を高めることができる空調制御システムおよび方法を提供することを目的とする。
【課題を解決するための手段】
【０００９】
本発明の空調制御システムは、制御対象の空間の室温を、前記空間を区分する空調ゾーン毎に制御するように構成された空調機器と、前記空間の室温の分布に勾配を設けるように初期設定された設定温度に基づいて前記空調機器を制御し、前記空間に居る申告者からの空調に関する申告に応じて前記設定温度を変更するように構成された空調制御装置と、前記空間の空調ゾーン毎の空調環境情報を前記空間の利用者に提供するように構成された情報提供装置とを備えることを特徴とするものである。
【００１０】
また、本発明の空調制御システムの１構成例において、前記空調制御装置は、前記空間内の申告者からの申告を受け付けるように構成された申告処理部と、前記申告者から暑いおよび寒いのうち少なくとも一方の要望申告を受け付けたときに、少なくとも前記要望申告が発生した空調ゾーンの設定温度を変更するように構成された制御プラン決定部とを備え、前記制御プラン決定部は、前記初期設定の設定温度で規定された室温の上下関係を維持するように前記設定温度を変更することを特徴とするものである。
【００１１】
また、本発明の空調制御システムの１構成例は、前記空間の室温を空調ゾーン毎に計測するように構成された温度センサをさらに備え、前記空調制御装置は、前記空間内の申告者から暑い、快適、寒いのいずれかの申告を受け付けるように構成された申告処理部と、前記申告者から暑いおよび寒いのうち少なくとも一方の要望申告を受け付けたときに、少なくとも前記要望申告が発生した空調ゾーンの設定温度を変更するように構成された制御プラン決定部とを備え、前記制御プラン決定部は、前記申告者から快適という申告を受け付けたときに、この申告が発生した空調ゾーンの室温の値を前記温度センサから取得し、少なくとも前記申告が発生した空調ゾーンの設定温度を前記温度センサから取得した室温の値に変更することを特徴とするものである。
【００１２】
また、本発明の空調制御システムの１構成例において、前記空調制御装置は、前記空間内の申告者から暑い、快適、寒いのいずれかの申告を受け付けるように構成された申告処理部と、前記申告者から暑いおよび寒いのうち少なくとも一方の要望申告を受け付けたときに、少なくとも前記要望申告が発生した空調ゾーンの設定温度を変更するように構成された制御プラン決定部とを備え、前記制御プラン決定部は、前記要望申告よりも前に受け付けた快適という申告からの経過時間が所定の無効時間内の場合に、前記要望申告に応じた前記設定温度の変更を実施しないことを特徴とするものである。
【００１３】
また、本発明の空調制御システムの１構成例において、前記空調制御装置は、前記空間内の申告者から暑い、快適、寒いのいずれかの申告を受け付けるように構成された申告処理部と、前記申告者から暑いおよび寒いのうち少なくとも一方の要望申告を受け付けたときに、少なくとも前記要望申告が発生した空調ゾーンの設定温度を変更するように構成された制御プラン決定部とを備え、前記制御プラン決定部は、前記申告者から快適という申告を受け付けた後で暑いおよび寒いのうち少なくとも一方の要望申告を受け付けたときに、少なくとも前記要望申告が発生した空調ゾーンの設定温度を変更し、所定の維持時間が経過した後に、変更した前記設定温度を変更前の値に戻すことを特徴とするものである。
【００１４】
また、本発明の空調制御システムの１構成例において、前記制御プラン決定部は、前記申告者から暑いおよび寒いのうちどちらか一方の要望申告を受け付けたときに、この要望申告に応じた前記設定温度の変更を実施することを特徴とするものである。
また、本発明の空調制御システムの１構成例において、空調ゾーン毎の前記設定温度は、前記空間が、第１の空調ゾーンと、この第１の空調ゾーンよりも設定温度が高い第２の空調ゾーンと、前記第１の空調ゾーンよりも設定温度が低い第３の空調ゾーンの３つに分かれるように初期設定され、前記申告処理部は、前記空間内の申告者から所定の申告判定時間内において申告された暑いという要望申告の数とこの申告判定時間内において申告された寒いという要望申告の数との割合を算出し、前記制御プラン決定部は、前記第２の空調ゾーンの面積と前記第３の空調ゾーンの面積との割合が、前記要望申告の数の割合に最も近くなるように各空調ゾーンの前記設定温度を変更することを特徴とするものである。
また、本発明の空調制御システムの１構成例において、前記空調環境情報は、空調ゾーン毎の前記設定温度を示す情報、または空調ゾーン毎の前記設定温度の傾向を示す情報である。
【００１５】
また、本発明の空調制御方法は、制御対象の空間の室温の分布に勾配を設けるように初期設定された設定温度に基づいて空調機器を制御する第１のステップと、前記空間に居る申告者からの空調に関する申告を受け付ける第２のステップと、前記申告に応じて前記設定温度を変更する第３のステップと、前記空間の空調ゾーン毎の空調環境情報を前記空間の利用者に提供する第４のステップとを含むことを特徴とするものである。
【発明の効果】
【００１６】
本発明によれば、空間の室温の分布に勾配を設けるように設定温度を初期設定し、空間の空調ゾーン毎の空調環境情報を空間の利用者に提供することにより、利用者が自分の好みの空調環境の位置に移動できるようにする。また、本発明では、申告者からの空調に関する申告を受け付けて設定温度を変更するため、空調制御システムの管理者が決定する設定温度の初期値はおおまかな値に設定しておけばよく、温度設定作業を容易にすることができる。そして、本発明では、暑がりの利用者と寒がりの利用者の双方の要望を解決する可能性を高めることができる。
【図面の簡単な説明】
【００１７】
【図１】本発明の第１の実施例に係る空調制御システムの構成を示す図である。
【図２】本発明の第１の実施例に係る空調制御システムの空調制御装置の構成を示すブロック図である。
【図３】本発明の第１の実施例に係る空調制御システムの情報提供装置の構成を示すブロック図である。
【図４】本発明の第１の実施例に係る空調制御の対象の空間の空調ゾーンを説明する平面図である。
【図５】本発明の第１の実施例に係る空調制御の対象の空間の設定温度の勾配について説明する平面図である。
【図６】本発明の第１の実施例に係る空調制御の対象の空間の設定温度の実例を示す図である。
【図７】本発明の第１の実施例に係る空調制御システムの動作を説明するフローチャートである。
【図８】本発明の第１の実施例に係る空調制御システムの申告入力端末の入力画面の１例を示す図である。
【図９】本発明の第１の実施例に係る設定温度の変更処理を説明する図である。
【図１０】本発明の第１の実施例に係る設定温度の勾配の別の例を示す平面図である。
【図１１】本発明の第２の実施例において設定温度高めゾーンの面積を増やす動作を説明する平面図である。
【図１２】本発明の第２の実施例において設定温度低めゾーンの面積を増やす動作を説明する平面図である。
【図１３】本発明の第３の実施例に係る空調制御システムの動作を説明するフローチャートである。
【図１４】本発明の第３の実施例に係る空調制御システムの申告入力端末の入力画面の１例を示す図である。
【図１５】本発明の第４の実施例に係る空調制御システムの動作を説明するフローチャートである。
【図１６】本発明の第５の実施例に係る空調制御システムの動作を説明するフローチャートである。
【図１７】本発明の第５の実施例における設定温度変更を説明する図である。
【発明を実施するための形態】
【００１８】
［発明の原理１］
本発明の説明では、利用者、申告者、要望入力者を以下のように区別して記述する。本発明では、建物内の空調制御システムの制御対象となる任意の空調環境を在席空間とする者を、利用者と呼ぶ。申告行動を起こすか否かは利用者に依存する。また、本発明では、空調への変更要望を申告（電話等による音声通知を含む）するという行動を起こす利用者を、申告者と呼ぶ。利用者が空調環境に不満を感じていても、申告行動を起こさなければ申告者とは扱わない。また、本発明では、申告者の空調への変更要望を空調制御に反映する目的で空調制御システムに入力する者を、要望入力者と呼ぶ。利用者が変更要望を空調制御システムに直接入力する申告型空調制御システムを採用している場合、申告者と要望入力者は同一となる。また、これ以外の空調制御システムでは、例えば、申告者が要望入力者である設備管理者に対して変更要望を申告（電話やメールなどで通知）し、設備管理者がこの要望を空調制御システムに入力する方式がある。
【００１９】
本発明では、空調制御の対象の空間が、利用者が着席位置を選択可能なフリーアドレス制の空間であることを前提としている。フリーアドレス制の空間では、暑がりの利用者と寒がりの利用者が混在して座っている場合、全ての人の好みを同時に満たすことは難しい。そこで、本発明では、制御対象の空間内に意図的に室温の温度勾配をつくり、その温度の情報を利用者に知らせることで、利用者が自分の好みの空調環境の位置に移動できるようにする。暑がりの利用者と寒がりの利用者がそれぞれ好みの空調環境の場所に移動することで、分離を促進できる。
【００２０】
さらに、発明者は、事前に空間の適切な設定温度を決めることや、暑いゾーンと寒いゾーンの割合を決めておくことは難しいことに着目した。そして、発明者は、利用者からの空調に対する要望申告に基づいて空間の温度勾配を調整することで、利用者の意向や希望に応え易くなることに想到した。
【００２１】
［発明の原理２］
上記のように、フリーアドレス制の空間の設定温度に勾配を持たせ、暑がりの利用者と寒がりの利用者に移動を促し、利用者からの要望申告に基づいて空間の温度勾配を調整する場合を想定する。この場合、例えば涼しいゾーンには暑がりの利用者ばかりが集まり、利用者から「暑い」という要望のみが発せられるために、設定温度が下限温度に固定されてしまう可能性がある。反対に、暖かいゾーンには寒がりの利用者ばかりが集まり、設定温度が上限温度に固定されてしまう可能性がある。つまり、空間内に両極端な温度分布を作り出してしまう可能性がある。
【００２２】
そこで、発明者は、両極端な温度分布の問題を解決するために、利用者が「暑い」、「寒い」といった要望申告だけでなく、「快適」という申告をできるようにすることに想到した。「快適」という申告がなされた状態の温度を記憶しておくことで、積極的にその温度に設定することで、極端な温度設定を防げることに想到した。
【００２３】
［第１の実施例］
以下、本発明の実施例について図面を参照して説明する。本実施例は、上記発明の原理１に対応する例であり、空調制御の対象の空間がフリーアドレス制の空間であることを前提としている。
【００２４】
図１は本実施例に係る空調制御システムの構成を示す図である。空調制御システムは、在席空間１に設けられた複数の空調機器３−１〜３−６と、空調機器３−１〜３−６を制御すると共に、在席空間１の利用者２からの空調に関する申告を受ける空調制御装置４と、在席空間１の各空調ゾーンの室温を計測する温度センサ５−１〜５−６と、利用者２に在席空間１の空調ゾーン毎の空調環境情報を提供する情報提供装置６とから構成される。
【００２５】
図２は本実施例の空調制御装置４の構成を示すブロック図である。空調制御装置４は、機器制御部４０と、制御プラン決定部４１と、申告処理部４２とを備えている。
機器制御部４０は、制御プラン決定部４１が決定した制御プランに基づき空調機器３（３−１〜３−６）を制御する。
【００２６】
制御プラン決定部４１は、要望申告の処理時点で実施されている制御プランと申告処理部４２が受け付けた要望申告とに基づいて、空調機器３に新たに適用する制御プランを決定する。本実施例の制御プランは、空調ゾーン毎の設定温度Ｔｓｐを規定する。
申告処理部４２は、利用者からの空調に対する申告を受け付けて、制御プラン決定部４１に伝達する。利用者が空調への要望を入力する申告入力端末４３としては、ＰＣ（Personal Computer）、携帯電話機、スマートフォン、専用リモコン端末などがある。
【００２７】
図３は本実施例の情報提供装置６の構成を示すブロック図である。空調制御装置４の制御プラン決定部４１が決定した制御プランの情報を受信する受信部６０と、在席空間１の複数の空調ゾーンの配置を表すレイアウト情報を予め記憶する記憶部６１と、在席空間１の空調ゾーン毎の空調環境情報を生成する情報生成部６２と、利用者に在席空間１のゾーン毎の空調環境情報を送信する送信部６３とを備えている。
【００２８】
以下、本実施例の空調制御システムの動作を説明する。本実施例では、図４に示すように空調制御の対象となる在席空間１を上から見たときに、在席空間１が１−１〜１−６の６つの空調ゾーンに区分されている。本実施例では、空調ゾーン１−１〜１−６の各々に対応して空調機器３−１〜３−６が１台ずつ設けられている。図４における１０は在席空間１内に配置されている机である。なお、本発明において空調ゾーンの数は６個に限らないことは言うまでもない。また、空調ゾーンの数と空調機器の数は同数でなくてもよい。
【００２９】
本実施例では、上記のとおり在席空間１の設定温度Ｔｓｐの空間分布に意図的に勾配を設け、空調ゾーン１−１〜１−６が設定温度高めゾーンと設定温度中間ゾーンと設定温度低めゾーンの３つに分かれるようにしている。本実施例では、図５に示すように空調ゾーン１−１，１−２が設定温度Ｔｓｐ＝Ｔｓｐ＿Ｈの設定温度高めゾーン、空調ゾーン１−３，１−４が設定温度Ｔｓｐ＝Ｔｓｐ＿Ｍの設定温度中間ゾーン、空調ゾーン１−５，１−６が設定温度Ｔｓｐ＝Ｔｓｐ＿Ｌの設定温度低めゾーンとなっている（Ｔｓｐ＿Ｈ≧Ｔｓｐ＿Ｍ≧Ｔｓｐ＿Ｌ）。
【００３０】
空調制御装置４の機器制御部４０は、空調ゾーン毎の現在の制御プランによって規定される設定温度Ｔｓｐに基づいて空調ゾーン１−１〜１−６の空調機器３−１〜３−６を制御する。例えば機器制御部４０は、空調ゾーン１−１，１−２の温度センサ５−１，５−２によって計測される室温が設定温度Ｔｓｐ＝Ｔｓｐ＿Ｈと一致するように空調機器３−１，３−２を制御する。また、機器制御部４０は、空調ゾーン１−３，１−４の温度センサ５−３，５−４によって計測される室温が設定温度Ｔｓｐ＝Ｔｓｐ＿Ｍと一致するように空調機器３−３，３−４を制御する。同様に、機器制御部４０は、空調ゾーン１−５，１−６の温度センサ５−５，５−６によって計測される室温が設定温度Ｔｓｐ＝Ｔｓｐ＿Ｌと一致するように空調機器３−５，３−６を制御する。制御アルゴリズムとしては例えばＰＩＤが知られている。
【００３１】
こうして、在席空間１の室温の空間分布に意図的に勾配を作り出すことができる。本実施例では、図６に示すように設定温度Ｔｓｐ＝Ｔｓｐ＿Ｈの初期値が例えば２６℃、設定温度Ｔｓｐ＝Ｔｓｐ＿Ｍの初期値が例えば２５℃、設定温度Ｔｓｐ＝Ｔｓｐ＿Ｌの初期値が例えば２４℃となっている。
【００３２】
情報提供装置６の受信部６０は、空調制御装置４の制御プラン決定部４１が空調ゾーン毎に決定した制御プランの情報を受信する。
情報提供装置６の情報生成部６２は、空調ゾーン毎の制御プランの情報に基づいて、空調ゾーン毎の空調環境情報を生成する。
【００３３】
空調環境情報は、空調ゾーン毎の設定温度Ｔｓｐを示す表形式の情報であってもよいし、空調ゾーン毎の設定温度Ｔｓｐの傾向（設定温度高め、設定温度中間、設定温度低め）を示す表形式の情報であってもよい。また、空調環境情報は、在席空間１の空調ゾーンの平面配置を示すレイアウトイメージ中に空調ゾーン毎の設定温度Ｔｓｐの値を表示する情報であってもよいし、レイアウトイメージ中に空調ゾーン毎の設定温度Ｔｓｐの傾向（設定温度高め、設定温度中間、設定温度低め）を表示する情報であってもよい。空調ゾーン毎の設定温度Ｔｓｐの値は、受信部６０が受信した制御プランの情報から取り出すことができる。また、レイアウトイメージの画像データは、記憶部６１が記憶しているレイアウト情報を基に生成することが可能である。
【００３４】
情報提供装置６の送信部６３は、情報生成部６２が生成した空調環境情報を表示装置６４に送信して表示させる。表示装置６４は、在席空間１内に１台設けられていてもよいし、複数台（例えば空調ゾーン毎、席毎など）設けられていてもよい。
【００３５】
また、送信部６３は、情報生成部６２が生成した空調環境情報を利用者の情報出力端末６５に送信して表示させるようにしてもよい。情報出力端末６５としては、ＰＣ、携帯電話機、スマートフォン、専用リモコン端末などがあり、上記の申告入力端末４３が情報出力端末６５としての機能を備えていてもよい。
【００３６】
こうして、在席空間１の利用者に在席空間１のゾーン毎の空調環境情報を提供することにより、利用者に温冷感の嗜好に応じた着席位置に移るよう促すことができる。なお、利用者への空調環境情報の提供方法は上記の例に限らないことは言うまでもない。
【００３７】
次に、申告入力端末４３から利用者の申告を受け付けた際の空調制御システムの動作を、図７を参照して説明する。設定温度Ｔｓｐ＿Ｈ，Ｔｓｐ＿Ｍ，Ｔｓｐ＿Ｌの初期値は例えば図６に示したように決められているが、在席空間１の設定温度Ｔｓｐの空間分布に意図的に勾配を設ける場合、どの程度の温度に設定すればよいかは空調制御システムの管理者にとって分かり難いという問題がある。また、利用者が好みの空調環境の席に座ろうとしても、所望の席が埋まっている場合も有り得る。そこで、本実施例では、利用者からの空調に対する要望申告を受け付けて、設定温度Ｔｓｐを変更する。
【００３８】
申告入力端末４３は、利用者が入力した申告の種類ＤＳと利用者が在席する空調ゾーンを特定する情報であるＺＩＤと申告時刻Ｓｔｉｍｅとを申告処理部４２に送信する。申告処理部４２は、受信した情報を申告Ｖ（ＺＩＤ，ＤＳ，Ｓｔｉｍｅ）として保持する。本実施例では、利用者が選択する種類ＤＳを「暑い」、「寒い」の２種類とし、「暑い」を値「１」で示し、「寒い」を値「−１」で示すものとする。つまり、例えば、申告時刻１０時１０分にＺＩＤ＝１で特定される空調ゾーン１−１の利用者が「暑い」と申告した要望はＶ（１，１，１０：１０）として保持され、同じ時刻に「寒い」と申告された要望はＶ（１，−１，１０：１０）として保持される。
【００３９】
例えば図８に示すように、申告入力端末４３のタッチパネル式の表示装置の入力画面４３０には、「暑い」と「寒い」という２種類の選択ボタン４３１，４３２が表示される。利用者は、空調環境の変更を希望するときに、選択ボタン４３１，４３２のうちどちらか一方に触れるようにすればよい。
【００４０】
空調制御装置４の制御プラン決定部４１は、申告処理部４２が申告入力端末４３からの申告Ｖ（ＺＩＤ，ＤＳ，Ｓｔｉｍｅ）を受信すると（図７ステップＳ１００においてＹＥＳ）、この申告Ｖ（ＺＩＤ，ＤＳ，Ｓｔｉｍｅ）に応じて、空調機器３に新たに適用する制御プランを決定する（図７ステップＳ１０１）。上記のとおり、本実施例の制御プランは、空調ゾーン毎の設定温度Ｔｓｐを規定するものである。
【００４１】
申告Ｖ（ＺＩＤ，ＤＳ，Ｓｔｉｍｅ）に応じて設定温度Ｔｓｐを変更する場合、設定温度Ｔｓｐの変更は次式のように表すことができる。
Ｔｓｐ’＝Ｔｓｐ＋Ｔｄｐ（ＤＳ）                                ・・・（１）
【００４２】
式（１）のＴｄｐ（ＤＳ）は設定温度Ｔｓｐの変更幅である。この変更幅Ｔｄｐ（ＤＳ）は以下の式で決定される。
Ｔｄｐ（ＤＳ）＝Ｓ（ＤＳ）×γｄｐ（ＤＳ）                      ・・・（２）
【００４３】
上記のとおり、利用者が「暑い」と申告したとき、申告の種類ＤＳ＝１となり、利用者が「寒い」と申告したとき、種類ＤＳ＝−１となる。式（２）におけるＳ（ＤＳ）は種類ＤＳに対応する設定温度Ｔｓｐの増減方向を示す係数である。種類ＤＳ＝１のとき、係数Ｓ（１）＝−１となり、種類ＤＳ＝−１のとき、係数Ｓ（−１）＝１となる。つまり、利用者が「暑い」と申告したときは、係数Ｓ（ＤＳ）を−１にして設定温度Ｔｓｐを下げ、利用者が「寒い」と申告したときは、係数Ｓ（ＤＳ）を１にして設定温度Ｔｓｐを上げる（図９）
【００４４】
式（２）におけるγｄｐ（ＤＳ）は予め規定された変更幅である。変更幅γｄｐ（ＤＳ）は、種類ＤＳの値によらず一律の値（例えば０．５℃）としてもよいし、種類ＤＳの値に応じて異なる値としてもよい。また、変更幅γｄｐ（ＤＳ）は、設定温度高めゾーンと設定温度中間ゾーンと設定温度低めゾーンのそれぞれで異なる値としてもよい。
【００４５】
このように、本実施例の制御プラン決定部４１は、ＺＩＤで特定される空調ゾーンの利用者から申告Ｖ（ＺＩＤ，ＤＳ，Ｓｔｉｍｅ）を受信したときに、当該空調ゾーンの設定温度Ｔｓｐを式（１）によりＴｓｐ’に変更した新たな制御プランを決定する。すなわち、利用者からの要望申告を解決する方向に設定温度Ｔｓｐを変更する。
【００４６】
このとき、制御プラン決定部４１は、ＺＩＤで特定される空調ゾーンのみ設定温度Ｔｓｐを変更してもよいし、この空調ゾーンと同じ空調設定がなされた全ての空調ゾーンの設定温度Ｔｓｐを変更してもよいし、在席空間１内の全ての空調ゾーンの設定温度Ｔｓｐを変更してもよい。
【００４７】
同じ空調設定がなされた空調ゾーンとは、例えばＺＩＤで特定される空調ゾーンが１−１で設定温度Ｔｓｐ＝Ｔｓｐ＿Ｈであった場合、同じ設定温度Ｔｓｐ＝Ｔｓｐ＿Ｈである空調ゾーン（図５の例では空調ゾーン１−２）のことを言う。
【００４８】
また、制御プラン決定部４１は、設定温度Ｔｓｐの所定の上下関係（Ｔｓｐ＿Ｈ≧Ｔｓｐ＿Ｍ≧Ｔｓｐ＿Ｌ）を維持しつつ設定温度Ｔｓｐを変更する。制御プラン決定部４１は、ある空調ゾーンの設定温度Ｔｓｐを変更しようとしたときに、設定温度Ｔｓｐの上下関係を満たせなくなる場合には、設定温度Ｔｓｐを変更しない。
【００４９】
また、制御プラン決定部４１は、所定の上下限値の範囲内で設定温度Ｔｓｐを変更する。設定温度Ｔｓｐの上限値をＴｓｐ＿ＭＡＸ、下限値をＴｓｐ＿ＭＩＮとすれば、次式を満たすように設定温度Ｔｓｐを変更する。
Ｔｓｐ＿ＭＡＸ≧Ｔｓｐ＿Ｈ≧Ｔｓｐ＿Ｍ≧Ｔｓｐ＿Ｌ≧Ｔｓｐ＿ＭＩＮ
・・・（３）
【００５０】
制御プラン決定部４１は、ある空調ゾーンの設定温度Ｔｓｐを変更しようとしたときに、変更後の設定温度Ｔｓｐが上限値Ｔｓｐ＿ＭＡＸを上回るか、あるいは下限値Ｔｓｐ＿ＭＩＮを下回る場合には、設定温度Ｔｓｐを変更しない。
【００５１】
空調制御装置４の機器制御部４０は、上記のとおり、空調ゾーン毎の現在の制御プランによって規定される設定温度Ｔｓｐに基づいて空調ゾーン１−１〜１−６の空調機器３−１〜３−６を制御する（図７ステップＳ１０２）。
情報提供装置６は、空調制御装置４が空調ゾーン毎に決定した制御プランの情報に基づいて、空調ゾーン毎の空調環境情報を利用者に提供する（図７ステップＳ１０３）。
【００５２】
空調環境情報については上記のとおりである。情報提供装置６は、在席空間１内に表示装置６４が１台設けられている場合には、この表示装置６４に空調環境情報を表示させるようにすればよい。また、表示装置６４が空調ゾーン毎に設けられている場合には、各空調ゾーンの表示装置６４に空調環境情報を表示させるようにすればよい。また、情報提供装置６は、各利用者の情報出力端末６５のアドレス（例えばメールアドレス）が予め登録されている場合には、登録されたアドレス宛に空調環境情報を送信し、各利用者の情報出力端末６５に空調環境情報を表示させるようにしてもよい。
空調制御システムは、以上のステップＳ１００〜Ｓ１０３の処理を一定時間毎に行なう。
【００５３】
本実施例では、利用者からの空調に対する要望申告を受け付けて設定温度Ｔｓｐを変更するため、空調制御システムの管理者が決定する設定温度Ｔｓｐの初期値はおおまかな値に設定しておけばよく、温度設定作業を容易にすることができる。また、本実施例では、暑がりの利用者と寒がりの利用者の双方の要望を解決する可能性を高めることができる。
【００５４】
なお、図５では、６つの空調ゾーン１−１〜１−６を３つに分けた例を示したが、これに限るものではない。例えば図１０に示すように、空調の制御のし易さを考慮し、窓際の空調ゾーン１−１，１−５の設定温度Ｔｓｐを高くし、内側の空調ゾーン１−４の設定温度Ｔｓｐを低くして、在席空間１の温度の傾向を考慮して設定温度Ｔｓｐの初期値を決定してもよい。図１０の１１は在席空間１と接続している廊下などの共用部を表している。
【００５５】
また、申告処理部４２は、所定の申告判定時間ｔβ内に同一の申告入力端末４３から同一の要望申告が複数回あった場合には、これら要望申告に応じた設定温度Ｔｓｐの変更を１回だけ行ない、２回目以降の要望申告を無効とする。同一の要望申告とは、種類ＤＳが同一の要望のことを言う。このような処理により、特定の過度な要望の影響を受け難くすることができる。
【００５６】
また、申告入力端末４３は、申告者特定情報（申告者のＩＤ（Identification）など）を申告Ｖに付加して空調制御装置４に送信するようにしてもよい。この申告者特定情報により、申告者を区別できるので、申告処理部４２は、同一人物が所定の申告判定時間ｔβ内に同一の要望申告を複数回行った場合には、これら要望申告に応じた設定温度Ｔｓｐの変更を１回だけ行ない、２回目以降の要望申告を無効としてもよい。
【００５７】
［第２の実施例］
第１の実施例では、利用者からの要望申告に応じて、特定の空調ゾーン、この特定の空調ゾーンと同じ空調設定がなされた全ての空調ゾーン、在席空間１内の全ての空調ゾーンのいずれかの設定温度Ｔｓｐを変更しているが、空調制御装置４の申告処理部４２は、在席空間１内の利用者から所定の申告判定時間ｔβ内において申告された「暑い」という要望申告の数と「寒い」という要望申告の数との割合を算出してもよい。
【００５８】
空調制御装置４の制御プラン決定部４１は、在席空間１内の設定温度高めゾーンの面積と設定温度低めゾーンの面積との割合が、申告処理部４２が算出した上記の要望数の割合に最も近くなるように各空調ゾーンの設定温度Ｔｓｐを変更する。このとき、制御プラン決定部４１は、設定温度中間ゾーンの数を変更せずに、設定温度高めゾーンおよび設定温度低めゾーンの数を変更することを前提として、設定温度高めゾーンの面積と設定温度低めゾーンの面積との割合が上記の要望数の割合に最も近くなるように、各空調ゾーンの設定温度Ｔｓｐを変更すればよい。
【００５９】
この場合、上記の設定温度Ｔｓｐ＿Ｈ，Ｔｓｐ＿Ｍ，Ｔｓｐ＿Ｌの値は変更しない。例えば設定温度高めゾーンの面積を増やす場合、制御プラン決定部４１は、設定温度中間ゾーンの一部の設定温度をＴｓｐ＿ＭからＴｓｐ＿Ｈに変更することにより、設定温度中間ゾーンの一部を設定温度高めゾーンに変更し、これと同数の設定温度低めゾーンの設定温度をＴｓｐ＿ＬからＴｓｐ＿Ｍに変更することにより、設定温度低めゾーンの一部を設定温度中間ゾーンに変更する。
【００６０】
図１１の例は、空調ゾーン１−３を設定温度中間ゾーンから設定温度高めゾーンに変更し、空調ゾーン１−５を設定温度低めゾーンから設定温度中間ゾーンに変更することにより、設定温度高めゾーンの面積と設定温度低めゾーンの面積との割合を１：１から３：１に変更した例を示している。
【００６１】
反対に、設定温度低めゾーンの面積を増やす場合、制御プラン決定部４１は、設定温度中間ゾーンの一部の設定温度をＴｓｐ＿ＭからＴｓｐ＿Ｌに変更することにより、設定温度中間ゾーンの一部を設定温度低めゾーンに変更し、これと同数の設定温度高めゾーンの設定温度をＴｓｐ＿ＨからＴｓｐ＿Ｍに変更することにより、設定温度高めゾーンの一部を設定温度中間ゾーンに変更すればよい。
【００６２】
また、制御プラン決定部４１は、設定温度中間ゾーンの数が変わることを許容して、設定温度高めゾーンの面積と設定温度低めゾーンの面積との割合が上記の要望数の割合に最も近くなるように、各空調ゾーンの設定温度Ｔｓｐを変更してもよい。この場合においても、上記の設定温度Ｔｓｐ＿Ｈ，Ｔｓｐ＿Ｍ，Ｔｓｐ＿Ｌの値は変更しない。例えば設定温度高めゾーンの面積を増やす場合、制御プラン決定部４１は、設定温度中間ゾーンの一部の設定温度をＴｓｐ＿ＭからＴｓｐ＿Ｈに変更することにより、設定温度中間ゾーンの一部を設定温度高めゾーンに変更し、これと同数もしくは異なる数の設定温度低めゾーンの設定温度をＴｓｐ＿ＬからＴｓｐ＿Ｍに変更することにより、設定温度低めゾーンの一部を設定温度中間ゾーンに変更する。
【００６３】
反対に、設定温度低めゾーンの面積を増やす場合、制御プラン決定部４１は、設定温度中間ゾーンの一部の設定温度をＴｓｐ＿ＭからＴｓｐ＿Ｌに変更することにより、設定温度中間ゾーンの一部を設定温度低めゾーンに変更し、これと同数もしくは異なる数の設定温度高めゾーンの設定温度をＴｓｐ＿ＨからＴｓｐ＿Ｍに変更することにより、設定温度高めゾーンの一部を設定温度中間ゾーンに変更すればよい。図１２の例は、空調ゾーン１−３，１−４を設定温度中間ゾーンから設定温度低めゾーンに変更し、空調ゾーン１−２を設定温度高めゾーンから設定温度中間ゾーンに変更することにより、設定温度高めゾーンの面積と設定温度低めゾーンの面積との割合を１：１から１：４に変更した例を示している。
【００６４】
また、上記のように申告入力端末４３が申告者特定情報を申告Ｖに付加して空調制御装置４に送信すれば、この申告者特定情報により、申告者を区別できる。そこで、申告処理部４２は、同一人物が所定の申告判定時間ｔβ内において同一の要望申告を複数回行った場合には、これら要望の数を１つとして計数し、上記の要望数の割合を算出してもよい。
【００６５】
本実施例においても、ある空調ゾーンの設定温度Ｔｓｐを変更しようとしたときに、設定温度Ｔｓｐの上下関係を満たせなくなる場合には、設定温度Ｔｓｐを変更しない。また、制御プラン決定部４１は、式（３）を満たすように設定温度Ｔｓｐを変更する。
【００６６】
［第３の実施例］
次に、本発明の第３の実施例について説明する。本実施例は、上記発明の原理２に対応する例であり、第１の実施例で説明した「暑い」、「寒い」という要望申告の他に、「快適」という申告も受けることができるようにした例である。本実施例においても、空調制御システムの構成は第１の実施例と同様であるので、図１〜図３の符号を用いて説明する。
【００６７】
以下、本実施例の空調制御システムの動作を説明する。図１３は、申告入力端末４３から利用者の申告を受け付けた際の空調制御システムの動作を説明するフローチャートである。
【００６８】
第１、第２の実施例と同様に、申告入力端末４３は、利用者の操作に応じて申告Ｖ（ＺＩＤ，ＤＳ，Ｓｔｉｍｅ）を空調制御装置４に送信する。ただし、本実施例では、利用者が選択する申告の種類ＤＳを「暑い」、「快適」、「寒い」の３種類とし、「暑い」を値「１」で示し、「快適」を値「０」で示し、「寒い」を値「−１」で示すものとする。つまり、例えば、申告時刻１０時１０分にＺＩＤ＝１で特定される空調ゾーン１−１の利用者が「快適」と申告すれば、Ｖ（１，０，１０：１０）となる。
【００６９】
図１４に示すように、申告入力端末４３のタッチパネル式の表示装置の入力画面４３０には、「暑い」と「寒い」と「快適」という３種類の選択ボタン４３１，４３２，４３３が表示される。利用者は、空調環境の変更を希望するときに、選択ボタン４３１，４３２のうちどちらか一方に触れるようにすればよい。また、利用者は、空調環境の維持を希望するときに、選択ボタン４３３に触れるようにすればよい。
【００７０】
空調制御装置４の制御プラン決定部４１は、申告処理部４２が申告入力端末４３からの申告Ｖ（ＺＩＤ，ＤＳ，Ｓｔｉｍｅ）を受信したときに（図１３ステップＳ２００においてＹＥＳ）、この申告Ｖ（ＺＩＤ，ＤＳ，Ｓｔｉｍｅ）がＤＳ＝０、すなわち「快適」という申告であった場合（図１３ステップＳ２０１においてＹＥＳ）、ＺＩＤで特定される空調ゾーンの温度センサ５（５−１〜５−６）によって計測された現在の室温ＰＶの値を取得する（図１３ステップＳ２０２）。
【００７１】
第１の実施例と同様に、空調制御装置４の制御プラン決定部４１は、申告Ｖ（ＺＩＤ，ＤＳ，Ｓｔｉｍｅ）に応じて、空調機器３に新たに適用する制御プランを決定する（図１３ステップＳ２０３）。
【００７２】
このとき、制御プラン決定部４１は、申告Ｖ（ＺＩＤ，ＤＳ，Ｓｔｉｍｅ）が「快適」という申告で、かつステップＳ２０２で取得した現在の室温ＰＶの値が、ＺＩＤで特定される空調ゾーンの設定温度Ｔｓｐと異なる場合、現在の室温ＰＶの値を維持するように新たな制御プランを決定する。具体的には、制御プラン決定部４１は、ＺＩＤで特定される空調ゾーンの設定温度ＴｓｐをＴｓｐ’＝ＰＶに変更した新たな制御プランを決定する。
【００７３】
また、制御プラン決定部４１は、ＺＩＤで特定される空調ゾーンのみ設定温度Ｔｓｐを変更してもよいし、この空調ゾーンと同じ空調設定がなされた全ての空調ゾーンの設定温度Ｔｓｐを変更してもよいし、在席空間１内の全ての空調ゾーンの設定温度Ｔｓｐを変更してもよい。ＺＩＤで特定される空調ゾーンと同じ空調設定がなされた全ての空調ゾーンの設定温度Ｔｓｐを変更する場合には、これら空調ゾーンの設定温度ＴｓｐをＴｓｐ’＝ＰＶに変更した新たな制御プランを決定すればよい。
【００７４】
また、在席空間１内の全ての空調ゾーンの設定温度Ｔｓｐを変更する場合には、ＺＩＤで特定される空調ゾーンの現在の設定温度Ｔｓｐから室温ＰＶへの増減方向と同じ方向に増減されるように各空調ゾーンの設定温度Ｔｓｐを、ＺＩＤで特定される空調ゾーンの現在の設定温度Ｔｓｐと室温ＰＶとの差の絶対値｜Ｔｓｐ−ＰＶ｜の分だけ変更すればよい。例えばＺＩＤで特定される空調ゾーンの現在の設定温度Ｔｓｐが２４℃で室温ＰＶが２６℃であれば、｜Ｔｓｐ−ＰＶ｜＝２℃を各空調ゾーンの設定温度Ｔｓｐに加算すればよい。また、ＺＩＤで特定される空調ゾーンの現在の設定温度Ｔｓｐが２８℃で室温ＰＶが２６℃であれば、｜Ｔｓｐ−ＰＶ｜＝２℃を各空調ゾーンの設定温度Ｔｓｐから減算すればよい。
【００７５】
空調制御装置４の機器制御部４０と情報提供装置６の動作（図１３ステップＳ２０４，Ｓ２０５）は、第１の実施例で説明したとおりである。
こうして、本実施例では、利用者からの「快適」という申告を利用することで、在席空間１の極端な設定温度Ｔｓｐを回避することができる。
【００７６】
［第４の実施例］
第３の実施例では、利用者から「快適」という申告を受け付けたときに、対応する空調ゾーンの設定温度Ｔｓｐをそのときの室温ＰＶの値に変更したが、「快適」という申告を受け付けたときの設定温度Ｔｓｐを維持するため、「快適」という申告を受け付けた後に「暑い」または「寒い」という要望申告が来た場合に、この要望申告を一定期間無視するようにしてもよい。本実施例においても、空調制御システムの構成は第１の実施例と同様であるので、図１〜図３の符号を用いて説明する。
【００７７】
図１５は本実施例の空調制御システムの動作を説明するフローチャートである。空調制御装置４の制御プラン決定部４１は、申告処理部４２が申告入力端末４３からの申告Ｖ（ＺＩＤ，ＤＳ，Ｓｔｉｍｅ）を受信したときに（図１５ステップＳ３００においてＹＥＳ）、この申告Ｖ（ＺＩＤ，ＤＳ，Ｓｔｉｍｅ）がＤＳ＝０、すなわち「快適」という申告であった場合（図１５ステップＳ３０１においてＹＥＳ）、各空調ゾーンの現在の制御プランを維持する（設定温度Ｔｓｐを維持する）。
【００７８】
また、制御プラン決定部４１は、申告Ｖ（ＺＩＤ，ＤＳ，Ｓｔｉｍｅ）を受信したときに、この申告Ｖ（ＺＩＤ，ＤＳ，Ｓｔｉｍｅ）がＤＳ＝１またはＤＳ＝−１、すなわち「暑い」または「寒い」という要望申告で（ステップＳ３０１においてＮＯ）、かつこの申告Ｖ（ＺＩＤ，ＤＳ，Ｓｔｉｍｅ）よりも前に受け付けた「快適」という申告からの経過時間が所定の無効時間ｔγ内の場合には（図１５ステップＳ３０２においてＹＥＳ）、「暑い」または「寒い」という要望申告を無視して、各空調ゾーンの現在の制御プランを維持する。
【００７９】
また、制御プラン決定部４１は、申告Ｖ（ＺＩＤ，ＤＳ，Ｓｔｉｍｅ）を受信したときに、この申告Ｖ（ＺＩＤ，ＤＳ，Ｓｔｉｍｅ）がＤＳ＝１またはＤＳ＝−１、すなわち「暑い」または「寒い」という要望申告で、かつこの申告Ｖ（ＺＩＤ，ＤＳ，Ｓｔｉｍｅ）よりも前に「快適」という申告がなかった場合あるいは申告Ｖ（ＺＩＤ，ＤＳ，Ｓｔｉｍｅ）よりも前に受け付けた「快適」という申告からの経過時間が無効時間ｔγを超えている場合には（ステップＳ３０２においてＮＯ）、この「暑い」または「寒い」という申告Ｖ（ＺＩＤ，ＤＳ，Ｓｔｉｍｅ）に応じて、空調機器３に新たに適用する制御プランを決定する（図１５ステップＳ３０３）。制御プラン（設定温度Ｔｓｐ）の決定方法は第１の実施例で説明したとおりである。
【００８０】
空調制御装置４の機器制御部４０と情報提供装置６の動作（図１５ステップＳ３０４，Ｓ３０５）は、第１の実施例で説明したとおりである。
【００８１】
［第５の実施例］
本実施例では、「快適」という申告を受け付けたときの設定温度Ｔｓｐを維持するため、「快適」という申告を受け付けた後に「暑い」または「寒い」という要望申告が来た場合に、この要望申告に応じて設定温度Ｔｓｐをいったん変更し、一定の維持時間が経過した後に設定温度Ｔｓｐを変更前の値に戻す。本実施例においても、空調制御システムの構成は第１の実施例と同様であるので、図１〜図３の符号を用いて説明する。
【００８２】
図１６は本実施例の空調制御システムの動作を説明するフローチャートである。空調制御装置４の制御プラン決定部４１は、申告処理部４２が申告入力端末４３からの申告Ｖ（ＺＩＤ，ＤＳ，Ｓｔｉｍｅ）を受信したときに（図１６ステップＳ４００においてＹＥＳ）、この申告Ｖ（ＺＩＤ，ＤＳ，Ｓｔｉｍｅ）がＤＳ＝０、すなわち「快適」という申告であった場合（図１６ステップＳ４０１においてＹＥＳ）、各空調ゾーンの現在の設定温度Ｔｓｐを記憶する（図１６ステップＳ４０２）。このとき、制御プラン決定部４１は、第４の実施例と同様に、各空調ゾーンの現在の制御プランを維持する（設定温度Ｔｓｐを維持する）。
【００８３】
次に、制御プラン決定部４１は、申告Ｖ（ＺＩＤ，ＤＳ，Ｓｔｉｍｅ）を受信したときに、この申告Ｖ（ＺＩＤ，ＤＳ，Ｓｔｉｍｅ）がＤＳ＝１またはＤＳ＝−１、すなわち「暑い」または「寒い」という要望申告で（ステップＳ４０１においてＮＯ）、かつこの申告Ｖ（ＺＩＤ，ＤＳ，Ｓｔｉｍｅ）よりも前に受け付けた「快適」という申告からの経過時間が所定の有効時間ｔξ内の場合には（図１６ステップＳ４０３においてＹＥＳ）、この「暑い」または「寒い」という申告Ｖ（ＺＩＤ，ＤＳ，Ｓｔｉｍｅ）に応じて各空調ゾーンの設定温度Ｔｓｐを変更し、この設定温度変更を維持時間ｔαだけ維持した後に、各空調ゾーンの設定温度Ｔｓｐを変更前の値、すなわちステップＳ４０２で記憶した値に復帰させるという制御プランを決定する（図１６ステップＳ４０４）。
【００８４】
また、制御プラン決定部４１は、申告Ｖ（ＺＩＤ，ＤＳ，Ｓｔｉｍｅ）が「暑い」または「寒い」という要望申告で、かつこの申告Ｖ（ＺＩＤ，ＤＳ，Ｓｔｉｍｅ）よりも前に「快適」という申告がなかった場合あるいは申告Ｖ（ＺＩＤ，ＤＳ，Ｓｔｉｍｅ）よりも前に受け付けた「快適」という申告からの経過時間が有効時間ｔξを超えている場合には（ステップＳ４０３においてＮＯ）、この「暑い」または「寒い」という申告Ｖ（ＺＩＤ，ＤＳ，Ｓｔｉｍｅ）に応じて各空調ゾーンの設定温度Ｔｓｐを変更すればよい（図１６ステップＳ４０５）。ステップＳ４０４，Ｓ４０５における設定温度Ｔｓｐの変更方法は第１の実施例で説明したとおりである。
【００８５】
空調制御装置４の機器制御部４０と情報提供装置６の動作（図１６ステップＳ４０６，Ｓ４０７）は、第１の実施例で説明したとおりである。
【００８６】
図１７は本実施例における設定温度変更を説明する図である。図１７の例では、時刻ｔ１において「快適」という申告Ｖ１が発生したとき、設定温度Ｔｓｐを記憶し、時刻ｔ２において「暑い」という申告Ｖ２が発生したときに、設定温度ＴｓｐをＴｓｐ’に変更している。そして、維持時間ｔα後の時刻ｔ３において設定温度をＴｓｐに復帰させている。
【００８７】
なお、第３〜第５の実施例において、「暑い」または「寒い」という要望申告に応じて設定温度Ｔｓｐを変更する際に、第２の実施例の方法を適用し、「暑い」という要望申告の数と「寒い」という要望申告の数との割合に基づいて設定温度Ｔｓｐを変更するようにしてもよい。
【００８８】
第３〜第５の実施例においても、ある空調ゾーンの設定温度Ｔｓｐを変更しようとしたときに、設定温度Ｔｓｐの上下関係を満たせなくなる場合には、設定温度Ｔｓｐを変更しない。また、制御プラン決定部４１は、式（３）を満たすように設定温度Ｔｓｐを変更する。
【００８９】
第１〜第５の実施例で説明した空調制御装置４と情報提供装置６の各々は、ＣＰＵ（Central Processing Unit）、記憶装置およびインタフェースを備えたコンピュータと、これらのハードウェア資源を制御するプログラムによって実現することができる。これらのコンピュータにおいて、本発明の空調制御方法を実現させるためのプログラムは、フレキシブルディスク、ＣＤ−ＲＯＭ、ＤＶＤ−ＲＯＭ、メモリカードなどの記録媒体に記録された状態で提供され、記憶装置に格納される。各々の装置のＣＰＵは、記憶装置に格納されたプログラムに従って第１〜第５の実施例で説明した処理を実行する。
【産業上の利用可能性】
【００９０】
本発明は、空調制御システムに適用することができる。
【符号の説明】
【００９１】
１…在席空間、２…利用者、３−１〜３−６…空調機器、４…空調制御装置、５−１〜５−６…温度センサ、６…情報提供装置、４０…機器制御部、４１…制御プラン決定部、４２…申告処理部、４３…申告入力端末、６０…受信部、６１…記憶部、６２…情報生成部、６３…送信部、６４…表示装置、６５…情報出力端末。
【図１】
2018146212.tif 000003
【図２】
2018146212.tif 000004
【図３】
2018146212.tif 000005
【図４】
2018146212.tif 000006
【図５】
2018146212.tif 000007
【図６】
2018146212.tif 000008
【図７】
2018146212.tif 000009
【図８】
2018146212.tif 000010
【図９】
2018146212.tif 000011
【図１０】
2018146212.tif 000012
【図１１】
2018146212.tif 000013
【図１２】
2018146212.tif 000014
【図１３】
2018146212.tif 000015
【図１４】
2018146212.tif 000016
【図１５】
2018146212.tif 000017
【図１６】
2018146212.tif 000018
【図１７】
2018146212.tif 000019